(57)【要約】      （修正有）【課題】装置を引いて移動させる場合だけでなく、装置を押して移動させる場合も、作業者が被覆に関する直接的な作業を効率的に行える被覆作業支援装置を提供する。【解決手段】地面に沿って延在する支持部材２０と、キャスターと、支持部材を移動させる力を加えるためのハンドル３と、シートの芯を挿入可能な支持棒２７Ｒ，２７Ｌとを被覆作業支援装置１に設け、ハンドルと支持棒とを前後方向に離間して配置し、ハンドルと支持棒との間に直接被覆作業者が滞在可能な作業用スペース５０を形成することにより、装置を押して移動させる場合に、支持棒と作業用スペースに滞在する直接被覆作業者との間に、移動作業者が介在しないようにしている。【選択図】図１
0003218867.tif 000002
【実用新案登録請求の範囲】
【請求項１】
シートを被覆対象物に被覆する作業を支援する被覆作業支援装置であって、
地面に沿って延在する支持部材と、前記支持部材に設けられたキャスターと、前記支持部材の前後方向における一方の端部に設けられ、前記支持部材を移動させる力を加えるためのハンドルと、前記ハンドルに対して前記支持部材の前後方向における他方の端部側に設けられ、ロール状に巻かれた前記シートの芯を挿入可能な支持棒とを備え、
前記ハンドルと前記支持棒とを前後方向に離間して配置し、前記ハンドルと前記支持棒との間に作業者が滞在可能な作業用スペースを形成したことを特徴とする被覆作業支援装置。
【請求項２】
前記支持部材は、前記ハンドルが設けられた一方支持部材と、前記一方支持部材から前後方向に離間した位置に配置され、棒状の接続部材によって前記一方支持部材と接続され、前記支持棒が設けられた他方支持部材とを有し、
互いに離間して配置された前記一方支持部材と前記他方支持部材との間に地面が露出した前記作業用スペースを形成したことを特徴とする請求項１に記載の被覆作業支援装置。
【請求項３】
前記一方支持部材の幅方向の中央と前記他方支持部材の幅方向の中央とを接続する前記接続部材によって前記一方支持部材と前記他方支持部材とを接続し、
前後方向のうち前記ハンドルを通常の態様で押したときに前記支持部材が進む方向を前方とした場合において、前記接続部材の前方に向かって右側であって前記一方支持部材と前記他方支持部材とで挟まれた領域、および、前記接続部材の前方に向かって左側であって前記一方支持部材と前記他方支持部材とで挟まれた領域のそれぞれに、地面が露出した前記作業用スペースを形成したことを特徴とする請求項２に記載の被覆作業支援装置。
【請求項４】
前記他方支持部材の幅方向の端部のそれぞれに一対の支持棒を立設したことを特徴とする請求項２または３に記載の被覆作業支援装置。
【請求項５】
前記支持部材は、
一対の梯子が支軸部によって回動自在に軸支された脚立を、前記支持部材の幅方向に前記支軸部が延在すると共に前記一対の梯子が前記作業用スペースを跨いだ状態で前記支持部材に設置するための設置部を有する
ことを特徴とする請求項２から４の何れか１項に記載の被覆作業支援装置。
【請求項６】
前記一方支持部材は、前記設置部として、前記脚立の一方の梯子の足部を支持するための一方足部支持部を有することを特徴とする請求項５に記載の被覆作業支援装置。
【請求項７】
前記他方支持部材は、前記設置部として、前記脚立の他方の梯子の足部を支持するための他方足部支持部を有することを特徴とする請求項５に記載の被覆作業支援装置。
【請求項８】
前記一方支持部材は、前記設置部として、前記脚立の一方の梯子の足部を支持するための一方足部支持部を有し、
前記他方支持部材は、前記設置部として、前記脚立の他方の梯子の足部を支持するための他方足部支持部を有する
ことを特徴とする請求項５に記載の被覆作業支援装置。
【請求項９】
前記他方支持部材は、前記支持棒が設けられた支持棒支持台と、一対のキャスターが設けられたキャスター支持部材とを有し、
前記支持棒支持台と前記キャスター支持台とを前後方向にずらして配置し、前記支持棒支持台に設けられた前記支持棒の下端を前記一対のキャスターの上端よりも下に位置させた
ことを特徴とする請求項２から８の何れか１項に記載の被覆作業支援装置。
【請求項１０】
前記支持部材の幅方向の端部のそれぞれに一対の支持棒を立設したことを特徴とする請求項１に記載の被覆作業支援装置。
【請求項１１】
一対の梯子が支軸部によって回動自在に軸支された脚立を、前記支軸部が前記支持部材の幅方向に延在した状態で設置可能に構成したことを特徴とする請求項１に記載の被覆作業支援装置。
【請求項１２】
前記支持部材において、前記支持棒が設けられた部位と、一対のキャスターが設けられた部位とを前後方向にずらして配置し、前記支持棒の下端を前記一対のキャスターの上端よりも下に位置させたことを特徴とする請求項１に記載の被覆支援作業装置。
【考案の詳細な説明】
【技術分野】
【０００１】
本考案は、シートを被覆対象物に被覆する作業を支援する被覆作業支援装置に関する。
【背景技術】
【０００２】
従来、壁、フレーム、その他の被覆対象物にシートを被覆する作業を支援する被覆作業支援装置が知られている（例えば、特許文献１参照）。図１０は、特許文献１の被覆作業支援装置（移動台車）を示す図である。図１０に示すように、特許文献１に係る被覆作業支援装置は、ロール状に巻かれたシート１０１が載置される支持部材１０２と、支持部材１０２を移動させるキャスター１０３と、支持部材１０２を移動させる際に、移動させるための力を加えるハンドル１０４とを備えている。特許文献１に係る被覆作業支援装置は、シートの被覆の際には、作業者により第１方向１０５に向かって移動させられながら使用される（特許文献１の図４、５も併せて参照）。作業者は、ハンドル１０４を把持し、第１方向１０５に装置が移動するようにハンドル１０４を引いて、第１方向１０５に装置を移動させる。
【先行技術文献】
【特許文献】
【０００３】
【特許文献１】特開２０１７−２００７３８号公報
【考案の概要】
【考案が解決しようとする課題】
【０００４】
ここで、特許文献１の被覆作業支援装置を利用した作業では、磁気吸引力によって貼着面に対してシートが位置決めされるため、基本的には一人の作業者で作業を行うことができる。しかしながら、現状、多くの場合で磁気吸引力を利用せずに被覆に関する作業が行われている。磁気吸引力を利用せずに被覆に関する作業を行う場合（例えば、いわゆるバックボードの製造のため、バックボードのフレーム（骨組み）にシートを被覆する場合）、基本的には、被覆対象物にシートを被覆するための直接的な作業（例えば、被覆対象物にシートを固着したり、被覆対象物に対するシートの撓みを矯正したりする作業。以下、「直接被覆作業」という）を人手によって行う必要がある。そして、被覆作業支援装置を利用して作業を行う場合、１人の作業者が装置を移動させながら直接被覆作業を行うのは困難であるため、通常、装置を移動させる作業者（以下、「移動作業者」という）および直接被覆作業を行う作業者（以下、「直接被覆作業者」という）によって作業が行われる。
【０００５】
特許文献１の被覆作業支援装置（移動台車）を利用して移動作業者と直接被覆作業者とが協働して被覆作業を行う場合、移動作業者が装置を引っ張って第１方向１０５に移動させると共に、直接被覆作業者が、装置に対して第２方向１０６の位置に位置しつつ直接被覆作業を行うようにすることにより、直接被覆作業者が直接被覆作業を効率よく行えるようにすることができる。このケースの場合、シート本体（シート１０１が巻き回された部分）と直接被覆作業との間に移動作業者が介在せず、直接被覆作業者は、シート本体に近い位置において、被覆作業支援装置の移動に応じてシート本体から繰り出されるシート１０１に生じる歪みが少ない状態で直接被覆作業を行えるからである。なお、シート本体と直接被覆作業者との距離が遠ければ遠いほど、シート本体から繰り出された部分が自重により撓んでしまい、直接被覆作業者の作業の効率性が低下する。
【０００６】
なお、通常、装置を引いて移動させるよりも、押して移動させる方が、装置の移動方向に対して背を向けながら移動する必要がなく、また、ハンドルを引っ張るよりも押す方がハンドルに効率よく力を加えることができるため、移動作業者にとって作業がし易い。しかしながら、特許文献１の被覆作業支援装置は、移動作業者が装置を押して使用する場合に、以下の問題がある。すなわち、移動作業者が装置を押して移動させるケースの場合、移動作業者がハンドル１０４を把持した状態で装置を押しているため、直接被覆作業者は、移動作業者の後ろに位置しつつ作業を行うことになる。直接被覆作業を適切に行うためには、シート本体に対して装置の移動方向と逆側に直接被覆作業者が位置している必要があるからである。この場合、被覆に関する作業が行われている間、直接被覆作業者とシート本体との間に移動作業者が介在するため、その分、直接被覆作業者とシート本体との位置とが離間してしまい、直接被覆作業者が効率よく作業を行えないという問題がある。
【０００７】
本考案は、このような問題を解決するために成されたものであり、装置を引いて移動させる場合だけでなく、装置を押して移動させる場合も、被覆に関する直接的な作業を行う作業者が作業を効率的に行えるようにすることを目的とする。
【課題を解決するための手段】
【０００８】
上記した課題を解決するために、本考案では、地面に沿って延在する支持部材と、支持部材に設けられたキャスターと、支持部材の前後方向における一方の端部に設けられ、支持部材を移動させる力を加えるためのハンドルと、ハンドルに対して支持部材の前後方向における他方の端部側に設けられ、ロール状に巻かれたシートの芯を挿入可能な支持棒とを被覆作業支援装置に設け、ハンドルと支持棒とを前後方向に離間して配置し、ハンドルと支持棒との間に作業者が滞在可能な作業用スペースを形成するようにしている。
【考案の効果】
【０００９】
上記のように構成した本考案によれば、装置を移動させる移動作業者が装置を押して移動させる場合において、直接的な被覆に関する作業を行う直接被覆作業者は、移動作業者が操作するハンドルとシート本体が取り付けられた支持棒との間に形成された作業用スペースに滞在しつつ作業を行うことが可能である。このため、被覆作業支援装置が押して使用される場合において、シート本体と直接被覆作業者との間に移動作業者が介在せず、直接被覆作業者は、シート本体に距離的に近い位置で作業を行うことができ、シート本体から繰り出されたシートの撓みの影響が少ない状態で効率よく作業を行うことができる。また、移動作業者が装置を引いて移動させる場合は、直接被覆作業者は、指示棒を挟んでハンドルとは反対側に滞在しつつ作業を行うことが可能である。この場合も、シート本体と直接被覆作業者との間に移動作業者が介在せず、直接被覆作業者は、シート本体に距離的に近い位置で効率よく作業を行うことができる。すなわち、本考案によれば、装置を引いて移動させる場合だけでなく、装置を押して移動させる場合も、被覆に関する直接的な作業を行う作業者が作業を効率的に行うことができる。
【図面の簡単な説明】
【００１０】
【図１】本考案の一実施形態に係る被覆作業支援装置を前方左斜め上から見た図である。
【図２】本考案の一実施形態に係る被覆作業支援装置を左側方から見た図である。
【図３】本考案の一実施形態に係る被覆作業支援装置を上方のやや左側から見た図である。
【図４】フレームおよびシートの一例を示す図である。
【図５】本考案の一実施形態に係る被覆作業支援装置の上面図である。
【図６】被覆作業支援装置が使用されている様子を上から見た図である。
【図７】脚立が被覆作業支援装置に設置された様子を示す図である。
【図８】脚立が設置された被覆作業支援装置が使用されている様子を示す図である。
【図９】被覆作業支援装置の変形例を示す図である。
【図１０】従来の被覆作業支援装置の斜視図である。
【考案を実施するための形態】
【００１１】
以下、本考案の一実施形態を図面に基づいて説明する。図１は、本実施形態に係る被覆作業支援装置１を前方左斜め上から見た図である。図２は、被覆作業支援装置１を左側方から見た図である。図３は、被覆作業支援装置１を上方のやや左側から見た図である。以下の図１〜３を用いた被覆作業支援装置１の構造の説明において、前方、後方、右方、左方、上方、下方と表現する場合、各方向が示す向きは図中の矢印で示す向きに従うものとする。
【００１２】
詳細には、接続部材２（後述）が延在する方向を前後方向とし、特に、ハンドル３（後述）を介して被覆作業支援装置１を通常の態様で押したときに装置が進む方向を前方とし、被覆作業支援装置１を通常の態様で引いたときに装置が進む方向を後方とする。また、前後方向に直交する方向であって、把持部材４（後述）が延在する方向を左右方向とし、特に、前方に向かって右に向かう方向を右方とし、前方に向かって左に向かう方向を左方とする。左右方向は、被覆作業支援装置１の幅方向に対応する。また、鉛直方向を上下方向とし、特に、鉛直方向において上に向かう方向を上方、鉛直方向において下に向かう方向を下方とする。なお、図１〜３の各図では、遠近感をもった表現で被覆作業支援装置１が描画されているため、矢印により表される各方向は厳密に正確な向きを表すものではなく、図中に描画された被覆作業支援装置１を中心とした大体の向きを表している。
【００１３】
被覆作業支援装置１は、被覆対象物に対してシートを被覆する作業を支援する装置である。特に、本実施形態に係る被覆作業支援装置１は、バックボードやバックパネルと呼ばれる組立式パネルの製造に際し、組立式パネルのフレームにシートを被覆する作業の支援に利用することが可能である。
【００１４】
図４（Ａ）は、フレームの一例を示す図である。図４（Ａ）において、（Ａ１）はフレーム７の正面図であり、（Ａ２）はフレーム７の右側面図である。図４（Ａ）のフレーム７は、矩形枠状の枠体に適度に横桟および縦桟が設けられた骨組みであり、枠体を正面視したときの上枠に沿って面ファスナーからなるフレーム上辺面ファスナー８が取り付けられ、下枠に沿ってフレーム下辺面ファスナー９が取り付けられ、右枠に沿ってフレーム右辺面ファスナー１０が取り付けられ、左枠に沿ってフレーム左辺面ファスナー１１が取り付けられている。図４（Ａ２）に示すように、フレーム７はフレーム支持部材１２によって安定的に地面に起立している。フレーム７の地面からの高さは、地面に立つ作業者が、フレーム７の上辺に容易に手を届かせることができる程度である。
【００１５】
図４（Ｂ）は、図４（Ａ）のフレーム７に被覆されるシートの一例である。図４（Ｂ）のシート１４は、シート１４を広げたときにフレーム７の正面と略同一のサイズ、形状となる布製の部材である。シート１４の裏面には、表面を正面視したときの上辺に沿って面ファスナーからなるシート上辺面ファスナー１５が取り付けられ、下辺に沿ってシート下辺面ファスナー１６が取り付けられ、右辺に沿ってシート右辺面ファスナー１７が取り付けられ、左辺に沿ってシート左辺面ファスナー１８が取り付けられている。シート１４は、フレーム７側の面ファスナー８〜１１のそれぞれに対して、シート１４側の面ファスナー１５〜１８のそれぞれが接続されることによって、フレーム７の正面に被覆される。
【００１６】
本実施形態に係る被覆作業支援装置１は、図４（Ａ）のフレーム７の正面に図４（Ｂ）のシート１４を被覆する作業のように、被覆対象物の面に対してシートを被覆する際に作業者によって行われる作業を支援するために用いられる。以下では、適宜、図４（Ａ）のフレーム７に図４（Ｂ）のシート１４を被覆する作業に用いる場合を例にして、被覆作業支援装置１の構造や機能、被覆作業支援装置１を使用して行われる作業者の作業等について説明する。
【００１７】
図１〜３に示すように、被覆作業支援装置１は、支持部材２０を有する。この支持部材２０は、後方支持部材２１（実用新案登録請求の範囲の「一方支持部材」に相当）と、後方支持部材２１の前方に後方支持部材２１から離間して配置された前方支持部材２２（実用新案登録請求の範囲の「他方支持部材」に相当）とを有する。後方支持部材２１と前方支持部材２２とは、後方支持部材２１の幅方向（＝左右方向）の中央と前方支持部材の幅方向（＝左右方向）の中央とを接続する棒状の接続部材２によって前後方向に離間した状態で接続されている。
【００１８】
前方支持部材２２は、支持棒支持台２３と、支持棒支持台２３の前方に、支持棒支持台２３と連続して設けられた前方キャスター支持部材２４（実用新案登録請求の範囲の「キャスター支持部材」に相当）とを有する。支持棒支持台２３は、地面に沿って延在する板状の部材であり、上から見たときに前後方向の辺よりも左右方向の辺の方が長い略長方形の上面２３ａが形成されている（特に図３参照）。
【００１９】
接続部材２は、支持棒支持台２３の上面２３ａの左右方向の中央を通って前方キャスター支持部材２４と接続されている。支持棒支持台２３は、支持棒支持台２３の上面２３ａと接続部材２の下面とが溶接その他の手段により固着されることによって、接続部材２に対して固定されている。また、支持棒支持台２３の上面２３ａの後端部には、接続部材２に対する支持棒支持台２３の固定を補強する補強部材２５が設けられている。支持棒支持台２３の上面２３ａの地面からの高さＴ１は、例えば、「１０ミリ」〜「２０ミリ」程度であり、上面２３ａは地面から非常に近い位置に位置している。支持棒支持台２３の後端部には、上方に向かって突起した一対の前方足部支持部材２６Ｒ，２６Ｌ（実用新案登録請求の範囲の「設置部」、「他方足部支持部」に相当）が、補強部材２５を挟んで左右方向に離間して設けられている。前方足部支持部材２６Ｒ，２６Ｌの機能については後述する。
【００２０】
支持棒支持台２３の右端部には、ポール状の右側支持棒２７Ｒが上方に向かって起立した状態で立設されている。また、支持棒支持台２３の左端部には、ポール状の左側支持棒２７Ｌが上方に向かって起立した状態で立設されている。右側支持棒２７Ｒの長さと、左側支持棒２７Ｌの長さとは、同じである。以下、右側支持棒２７Ｒと左側支持棒２７Ｌとを区別しない場合、「支持棒２７Ｒ，２７Ｌ」と表現する。支持棒２７Ｒ，２７Ｌは、ロール状に巻かれたシートの芯（シートが巻き回される円筒状の芯部材、または、芯部材がない場合にはシートが巻き回されることによって形成された中央部の空洞）を挿入可能な棒部材である。以下では、説明の便宜上、シートのうち、支持棒２７Ｒ，２７Ｌに巻き回されたロール状の部分のことを「シート本体」といい、シート本体から繰り出された部分を「排出シート」という。図２では、図４（Ｂ）のシート１４により構成されるシート本体２８が左側支持棒２７Ｌに取り付けられた様子を破線により模式的に表している。
【００２１】
シートは、被覆に関する作業時に被覆作業支援装置１を移動させる方向、および、被覆作業支援装置１に対して被覆対象物が右側に位置しているか左側に位置しているかに応じて、特定の回転方向で回転するように、支持棒２７Ｒ，２７Ｌのうちの何れか一方の棒に選択的に取り付けられる。支持棒２７Ｒ，２７Ｌに取り付けられるときのシートの回転方向がどのようにして決められるか、および、シートを取り付ける支持棒２７Ｒ，２７Ｌがどのようにして選択されるかについては後述する。
【００２２】
前方支持部材２２の前方キャスター支持部材２４は、接続部材２と一体的に構成された部材であり、上から見たときに矩形枠状の部材の空洞部を接続部材２が貫通する形状となっている（特に、図１、３参照）。前方キャスター支持部材２４の左部の下方には切欠き部が形成されており、この切欠き部にキャスター（車輪）である左方前輪キャスター３０が設けられている。図示されていないが前方キャスター支持部材２４の右部の下方にも切欠き部が形成されており、この切欠き部に右方前輪キャスターが設けられている。
【００２３】
前方キャスター支持部材２４の上面の左端部には、左前方連結部材３１が固定されており、この左前方連結部材３１の前部には左前方ストッパー３２が取り付けられている。つまり、左前方ストッパー３２は、左前方連結部材３１を介して前方キャスター支持部材２４に取り付けられ、固定されている。左前方ストッパー３２は、他のストッパーと協働して地面に対して支持部材２０を位置決めするための部材であり、レバー３３の操作に応じて、地面に対向する平らな接触面が形成された地面接触部材３４が移動する構成となっている。地面接触部材３４が下方に移動した状態でロックされると、接触面が地面に接触した状態で地面接触部材３４の動きが規制され、接触面と地面との間で摩擦力が働き、地面に対する支持部材２０の動きが規制される。前方キャスター支持部材２４の上面の右端部には、右前方連結部材３６を介して右前方ストッパー３７が取り付けられている。右前方ストッパー３７の構造、機能は左前方ストッパー３２と同様である。
【００２４】
上述したように、支持棒支持台２３の上面２３ａは、地面から非常に近い位置に位置している。このように、支持棒支持台２３の上面２３ａの位置を地面から近い位置とすることにより、以下のメリットがある。すなわち、シートを被覆する対象の被覆対象物が、図４のフレーム７のように地面に立設されている場合に、被覆対象物の下端と、支持棒２７Ｒ，２７Ｌに取り付けられたシート本体２８の下端とをできるだけ近い状態とすることができ、シート本体２８から繰り出された排出シートを被覆対象物に被覆するときに、被覆対象物の下端と排出シートの下端とを位置合わせするために排出シートを下方に向かって引っ張る必要がなく、作業の効率性がよい。
【００２５】
そして、本実施形態では、前方支持部材２２において、前輪として機能するキャスターを支持する前方キャスター支持部材２４とは別部材として支持棒２７Ｒ，２７Ｌを支持する支持棒支持台２３が設けられ、前方キャスター支持部材２４と支持棒支持台２３とが前後方向にずらして配置されている。このため、キャスターの存在に影響を受けることなく、支持棒支持台２３の上面２３ａの位置（支持棒２７Ｒ，２７Ｌの下端の位置）をキャスターの上端よりも低い位置とすることができる。例えば、支持棒支持台２３の下方にキャスターを設ける構成とすることも可能であるが、この構成では、支持棒支持台２３の高さをキャスターの上端よりも低くすることができず、本実施形態と比較して、支持棒支持台２３の高さが高くなってしまう。
【００２６】
図１〜３に示すように、後方支持部材２１は、接続部材２と一体的に構成された後方キャスター支持部材４０により構成されている。つまり、被覆作業支援装置１において、接続部材２、前方キャスター支持部材２４および後方キャスター支持部材４０は一体的に構成されており、被覆作業支援装置１の骨組みとして機能する。後方キャスター支持部材４０は、上から見たときに矩形枠状の部材の空洞部を接続部材２が貫通する形状となっている（特に、図１、３参照）。後方キャスター支持部材４０の右部、左部の下方にはそれぞれ切欠き部が形成されており、左部の切欠き部に左方後輪キャスター４１が設けられ、右部の切欠き部に右方後輪キャスター（不図示）が設けられている。
【００２７】
後方キャスター支持部材４０の上面の左端部には、左後方連結部材４２を介して左後方ストッパー４３が取り付けられ、当該上面の右端部には、右後方連結部材４４を介して右後方ストッパー４５が取り付けられている。左後方ストッパー４３および右後方ストッパー４５の構造、機能は、上述した左前方ストッパー３２と同様である。左後方連結部材４２および右後方連結部材４４はそれぞれ、一対の後方足部支持部材４６Ｒ，４６Ｌ（実用新案登録請求の範囲の「設置部」、「一方足部支持部」に相当）として機能する。後方足部支持部材４６Ｒ，４６Ｌの機能については後述する。
【００２８】
後方キャスター支持部材４０の後端には、ハンドル３が設けられている。ハンドル３は、基端が後方キャスター支持部材４０に固定され、後方に向かって緩やかに湾曲しつつ、基端から上方に向かって延在し、先端に把持部材４が取り付けられたハンドル支持部材４８を有する。把持部材４は、左右方向に延在する棒状の部材である。作業者は、ハンドル３の後方に位置し、体の正面が前方を向いた状態で、両手を水平方向に開き、両手で把持部材４を把持することができる。
【００２９】
ハンドル３は、被覆作業支援装置１を移動させる力を加えるための部材である。作業者は、体の正面が前方を向きつつハンドル３の後方に位置した状態で、両手を水平方向に開き、両手で把持部材４を把持する。作業者は、両手で把持部材４を把持した状態で、被覆作業支援装置１が前方に移動するようにハンドル３を押して被覆作業支援装置１を前方に向かって移動させることができる。更に、作業者は、両手で把持部材４を把持した状態で、被覆作業支援装置１が後方に移動するようにハンドル３を引っ張って被覆作業支援装置１を後方に向かって移動させることができる。また、作業者は、被覆作業支援装置１を前方または後方に向かって移動させつつ、ハンドル３に対して適切な力を加えて、被覆作業支援装置１をカーブさせることができる。
【００３０】
図１〜３に示すように、前方支持部材２２と後方支持部材２１とは前後方向に離間して配置されている。これにより、前方支持部材２２の後端と後方支持部材２１の前端との間には、地面が露出した作業用スペース５０（図１、３参照）が形成されている。より詳細には、接続部材２の右側であって、前方支持部材２２と後方支持部材２１とで挟まれた領域には、地面が露出した右側作業用スペース５０Ｒが形成され、接続部材２の左側であって、前方支持部材２２と後方支持部材２１とで挟まれた領域には、地面が露出した左側作業用スペース５０Ｌが形成されている。右側作業用スペース５０Ｒおよび左側作業用スペース５０Ｌはそれぞれ、作業者が滞在可能な程度に十分な大きさのスペースである。作業用スペース５０は、被覆に関する直接的な作業（以下、「直接被覆作業」という）に際し、作業者が滞在し作業を行うためのスペースである。直接被覆作業とは、例えば、シート１４の撓みを抑制しつつフレーム７側の面ファスナーにシート１４側の面ファスナーを接続する作業等の、シートに直接接触して被覆対象物にシートを被覆する作業を意味し、被覆作業支援装置１を移動させる作業は含まない。
【００３１】
以下、図４（Ａ）のフレーム７に、図４（Ｂ）のシート１４を被覆する際に被覆作業支援装置１を用いて作業者が行う作業について詳述する。なお、被覆作業支援装置１を利用した被覆に関する作業は、被覆作業支援装置１を移動させる作業者（以下、「移動作業者」という）と、直接被覆作業を行う作業者（以下、「直接被覆作業者」という）とにより行われる。
【００３２】
シート１４をフレーム７に被覆する際、まず、芯部材に対してシート１４がロール状に巻き回されることによって形成されたシート本体２８が、支持棒２７Ｒ，２７Ｌの何れか一方に取り付けられる。図５は、シート本体２８を取り付ける支持棒２７Ｒ，２７Ｌの選択方法と、支持棒２７Ｒ、２７Ｌに取り付けられたシート本体２８の回転方向との説明に利用する図である。図５では、被覆作業支援装置１の上面図を単純化して模式的に表している。なお、図５は、後に被覆作業支援装置１が後方に向かって移動するときの移動作業者と直接被覆作業者との位置関係を説明するときにも使用する。
【００３３】
上述したように、被覆作業支援装置１は、前方を進行方向として移動させて使用することも可能であり、後方を進行方向として使用することも可能である。前方を進行方向とする場合において、被覆作業支援装置１の右方に被覆対象物が位置するようにして被覆作業支援装置１を使用する場合には、シート本体２８は右側支持棒２７Ｒに取り付けられる。また、この場合、シート本体２８から排出シートを繰り出したときにシート本体２８が図５中の矢印Ｋ１に従って回転するように、シート本体２８は右側支持棒２７Ｒに取り付けられる。
【００３４】
また、前方を進行方向とし、被覆作業支援装置１の左方に被覆対象物が位置する場合には、シート本体２８は、排出シートを繰り出したときに図５中の矢印Ｋ２に従って回転する状態で左側支持棒２７Ｌに取り付けられる。また、後方を進行方向とし、被覆作業支援装置１の右方（進行方向に向かって左側）に被覆対象物が位置する場合には、シート本体２８は、排出シートを繰り出したときに図５中の矢印Ｋ３に従って回転する状態で右側支持棒２７Ｒに取り付けられる。また、後方を進行方向とし、被覆作業線装置＿の左方（進行方向に向かって右側）に被覆対象物が位置する場合には、シート本体２８は、排出シートを繰り出したときに図５中の矢印Ｋ４に従って回転する状態で左側支持棒２７Ｌに取り付けられる。
【００３５】
以下の説明では、被覆作業支援装置１の進行方向は前方であるものとし、被覆作業支援装置１の使用中、被覆対象物たるフレーム７は被覆作業支援装置１の右方に位置しているものとする。この場合、上述のとおり、シート本体２８は、排出シートを繰り出したときに図５中の矢印Ｋ１に従って回転する状態で右側支持棒２７Ｒに取り付けられる。
【００３６】
図６は、フレーム７にシート１４を被覆する作業の説明に利用する図である。図６（Ａ）〜（Ｃ）の各図はそれぞれ、フレーム７、被覆作業支援装置１および作業者（移動作業者、直接被覆作業者）を上から見た様子を表しており、（Ａ）→（Ｂ）→（Ｃ）の順番で時系列となっている。図６（Ａ）〜（Ｃ）の各図では、被覆作業支援装置１を単純化して模式的に描画している。
【００３７】
右側支持棒２７Ｒへのシート本体２８の取り付けが完了した後、移動作業者は、ハンドル３を操作しつつ適切に力を加え、図６（Ａ）に示すように、右側支持棒２７Ｒが、フレーム７の右辺の近傍であって、当該右辺を前方に向かって少し超えた辺りに位置するように、被覆作業支援装置１を移動させる。
【００３８】
この状態で、直接被覆作業者は、右側作業用スペース５０Ｒに滞在し、右側作業用スペース５０Ｒ内で以下の作業を行う。すなわち、図６（Ａ）に示すように、直接被覆作業者は、シート１４の端部を把持して引っ張り、シート本体２８から排出シート５１を繰り出し、上下方向に延在するフレーム右辺面ファスナー１０に、上下方向に延在するシート右辺面ファスナー１７を接続する作業を行う。
【００３９】
フレーム右辺面ファスナー１０とシート右辺面ファスナー１７との接続が完了した後、移動作業者は、ハンドル３を押すことによって被覆作業支援装置１を前方に移動させる。シート本体２８から繰り出された排出シート５１の端部は面ファスナーの接続によってフレーム７に対して固定された状態であるため、被覆作業支援装置１の前方への移動に伴って、排出シート５１に張力が働き、シート本体２８から排出シート５１が順次繰り出される。図６（Ｂ）に示すように、直接被覆作業者は、右側作業用スペース５０Ｒ内に位置した状態が維持されるように被覆作業支援装置１の前方への移動に応じて自身も移動しながら、順次繰り出される排出シート５１のシート上辺面ファスナー１５をフレーム上辺面ファスナー８に接続すると共に、シート下辺面ファスナー１６をフレーム下辺面ファスナー９に接続する作業を行う。この結果、被覆作業支援装置１の前方へ向かう移動に応じて、シート上辺面ファスナー１５とフレーム上辺面ファスナー８とが接続された範囲、および、シート下辺面ファスナー１６とフレーム下辺面ファスナー９とが接続された範囲が徐々に広がっていく。
【００４０】
被覆作業支援装置１が前方へ向かって更に移動すると、図６（Ｃ）に示すように、被覆作業支援装置１の右側支持棒２７Ｒがフレーム７のフレーム他端を前方に向かって超え、シート１４のシート他端が芯部材から離れた状態となる。直接被覆作業者は、右側作業用スペース５０Ｒに位置したまま上下方向に延在するフレーム左辺面ファスナー１１に、上下方向に延在するシート左辺面ファスナー１８を接続する作業を行って、フレーム左辺面ファスナー１１にシート左辺面ファスナー１８を接続する。以上によりフレーム７に対するシート１４の被覆が完了する。
【００４１】
ここで、図６を用いて例示した作業の場合、作業中、被覆作業支援装置１は前方に向かって進むことになる。この場合、直接被覆作業者は、作業時に右側支持棒２７Ｒよりも後方（右側支持棒２７Ｒに対して装置の移動方向の反対側）に位置している必要がある。被覆作業支援装置１の前方に向かう移動に従って、排出シート５１は、シート本体２８から相対的に後方に向かうように繰り出されていくので、排出シート５１を触りつつフレーム７に被覆する作業を行うためには、直接被覆作業者がシート本体２８が取り付けられた右側支持棒２７Ｒよりも後方に位置している必要があるからである。
【００４２】
そして、本実施形態に係る被覆作業支援装置１では、支持棒２７Ｒ，２７Ｌとハンドル３とが離間して配置され、支持棒２７Ｒ，２７Ｌが設けられた前方支持部材２２と、ハンドル３が設けられた後方支持部材２１との間に右側作業用スペース５０Ｒが設けられている。従って、移動作業者がハンドル３の後方に位置しつつ被覆作業支援装置１を押して移動させる場合、右側作業用スペース５０Ｒに滞在する直接被覆作業者と、右側支持棒２７Ｒとの間に移動作業者が介在せず、直接被覆作業者は、移動作業者が邪魔になることなく、右側支持棒２７Ｒに取り付けられたシート本体２８に近い位置でシート本体２８から繰り出された排出シート５１を被覆する作業を行うことができる。このため、直接被覆作業者は、排出シート５１の自重に起因して発生する撓みの影響が少ない状態で面ファスナーを接続する作業を行うことができ、作業の効率がよい。
【００４３】
また、右側作業用スペース５０Ｒは、地面が露出し、直接被覆作業者が地面に足を着けて作業を行うことができるスペースである。このため、右側作業用スペース５０Ｒで作業する直接被覆作業者は、移動作業者により行われる被覆作業支援装置１の移動に影響を受けることなく、地面に足をつけ、安定した状態で作業を行うことができる。
【００４４】
また、シート１４をフレーム７に被覆する作業中は、支持棒２７Ｒ，２７Ｌに取り付けられたシート本体２８とフレーム７との距離が近い方が、直接被覆作業者が効率よく作業を行える。シート本体２８とシート７との距離が近い方が、シート本体２８から繰り出された排出シート５１の撓みが少ない状態でフレーム７にシートを取り付ける作業を行うことができるからである。そして、本実施形態に係る被覆作業支援装置１では、支持棒支持台２３の左右方向（幅方向）の端部のそれぞれに一対の支持棒２７Ｒ，２７Ｌが立設されている。このため、被覆作業支援装置１の移動方向（前方または後方）と、フレーム７の被覆作業支援装置１に対する相対的な位置（右側または左側）との組み合わせにかかわらず、装置の側面がフレーム７に沿うように被覆作業支援装置１を配置したときに、何れか一方の支持棒２７Ｒ，２７Ｌが必ずフレーム７に近い位置に位置した状態となる。このため、装置の移動方向とフレーム７の位置とを反映した適切な支持棒２７Ｒ，２７Ｌにシート本体２８を取り付けることにより、作業中、常に被覆対象物とシート本体２８とが近い状態とすることができ、直接被覆作業者は効率よく作業を実行できる。
【００４５】
なお、支持棒支持台２３の幅を狭くし、幅の狭い支持棒支持台２３に一本の支持棒を立設するようにすれば、移動方向と、被覆作業支援装置１に対する被覆対象物の位置との組み合わせにかかわらず、被覆対象物とシート本体とが近い状態とすることが可能である。しかしながら、この方法は、キャスター間の左右方向の離間距離を十分に確保できず、被覆作業支援装置１が左右方向に倒れやすい不安定な装置となってしまい、また、作業スペース５０も狭くなるため、適切ではない。
【００４６】
上記の例では、被覆作業支援装置１を前方に移動させて使用する場合を例にして作業者の作業等を説明したが、上述のとおり、被覆作業支援装置１は、後方に移動させて使用することも可能である。この場合、移動作業者は、被覆作業支援装置１のハンドル３の後方に位置した状態で、被覆作業支援装置１を引いて動かす。また、直接被覆作業者は、前方キャスター支持部材２４よりも前方側（移動方向と逆側）に位置した状態で、直接被覆作業を行う。
【００４７】
図５では、被覆作業支援装置１を後方に移動させて使用する場合の、装置と移動作業者と直接被覆作業者との位置関係を示している。図５に示すように、被覆作業支援装置１を後方に移動させて使用する場合も、シート本体が取り付けられた支持棒２７Ｒ，２７Ｌと直接被覆作業者との間に移動作業者が介在せず、直接被覆作業者は、移動作業者が邪魔になることなく、支持棒２７Ｒ，２７Ｌに取り付けられたシート本体に近い位置でシート本体から繰り出された排出シートを被覆する作業を行うことができる。このため、直接被覆作業者は、排出シートの自重に起因して発生する撓みの影響が少ない状態で面ファスナーを接続する作業を行うことができ、作業の効率がよい。
【００４８】
次に、被覆作業支援装置１の別の使用のされ方について説明する。図４（Ａ）のフレーム７は、直接被覆作業者の手がフレーム７の上辺に簡単に届く程度の高さであった。一方で、被覆対象物の高さが、直接被覆作業者が手の届かない（または手が届きにくい）高さであり、直接被覆作業者が地面に立った状態では、適切に直接被覆作業を行えないケースもある。このようなケースの場合、被覆作業支援装置１は、以下の態様で使用される。
【００４９】
すなわち、事前に脚立５２が準備される。そして、脚立５２が被覆作業支援装置１に設置される。図７は、脚立５２が被覆作業支援装置１に設置された様子を模式的に示す図である。図７では、脚立５２を破線で表している。脚立５２は、広く普及する一般的なものであり、一対の梯子５３Ｘ，５３Ｙが支軸部５４によって回動自在に軸支されている。図７に示すように、脚立５２は、一方の梯子５３Ｘの２つの足部５５Ｒ、５５Ｌのそれぞれが、一対の前方足部支持部材２６Ｒ，２６Ｌのそれぞれに嵌め込まれて位置決めされると共に、他方の梯子５３Ｙの２つの足部５６Ｒ，５６Ｌのそれぞれが、一対の後方足部支持部材４６Ｒ，４６Ｌのそれぞれに嵌め込まれて位置決めされることによって、被覆作業支援装置１に設置される。
【００５０】
図１〜３、７に示すように、前方足部支持部材２６Ｒ，２６Ｌはそれぞれ、支持棒支持台２３に連結された台を基端として上方に向かって突出した突出部材５８と、この突出部材５８の先端に設けられた前方嵌合部材５９とを備えている。前方嵌合部材５９は、中央が窪んだ箱状の部材であり、中央の窪みに、梯子５３Ｘの足部５５Ｒ，５５Ｌが嵌め込まれると、一対の前方嵌合部材５９に対して足部５５Ｒ，５５Ｌが嵌合し、足部５５Ｒ，５５Ｌの前後左右の動きが規制された状態となる。
【００５１】
図１〜３、７に示すように、後方足部支持部材４６Ｒ、４６Ｌのそれぞれには、梯子５３Ｙの足部５６Ｒ，５６Ｌが嵌め込まれる空洞状の後方嵌合部６０が形成されている。後方足部支持部材４６Ｒ，４６Ｌの空洞に梯子５３Ｙの足部５６Ｒ，５６Ｌが嵌め込まれると、一対の後方嵌合部６０に対して足部５６Ｒ，５６Ｌが嵌合し、足部５６Ｒ，５６Ｌの左右方向の動きおよび後方の動きが規制された状態となる。
【００５２】
以上のように、脚立５２は、一方の梯子５３Ｘの一対の足部５５Ｒ、５５Ｌが一対の前方足部支持部材２６Ｒ，２６Ｌに嵌合し、他方の梯子５３Ｙの一対の足部５６Ｒ，５６Ｌが一対の後方足部支持部材４６Ｒ，４６Ｌに嵌め込まれることによって、被覆作業支援装置１に対して安定的に設置される。また、被覆作業支援装置１に脚立５２が設置された状態では、支軸部５４が左右方向（＝支持部材２０の幅方向）に延在した状態となり、更に、一対の梯子５３Ｘ，５３Ｙが作業用スペース５０を跨いだ状態となる。
【００５３】
図８（Ａ）は、脚立５２が設置された被覆作業支援装置１が使用されている様子を上から見た図であり、図８（Ｂ）は、当該様子を側方から見た図である。図８の各図では、被覆作業支援装置１および作業者を単純化して模式的に表している。通常、脚立を利用して作業を行う者は、図８（Ｂ）のように、一方の梯子５３Ｘの踏み台（桟）に一方の足をかけ、他方の梯子５３Ｙの踏み台（桟）に他方の足をかけ、両足で支軸部５４を跨いだ状態で作業を行う。そして、本実施形態では、脚立５２は、その支軸部５４が左右方向（＝支持部材２０の幅方向）に延在した状態で被覆作業支援装置１に設置される。このため、直接被覆作業者が通常の態様で脚立５２を使用した際に、被覆対象物が直接被覆作業者の正面に位置した状態となる。このため、直接被覆作業者は、被覆対象物に近接した位置で、体を捻る等の無理な姿勢をとることなく直接被覆作業を行うことができる。
【００５４】
また、本実施形態では、脚立５２は、一対の梯子５３Ｘ，５３Ｙが作業用スペース５０を跨いだ状態で、被覆作業支援装置１に設置される。脚立５２が設置されている状況では、作業用スペース５０は使用されないスペースであり、作業用スペース５０を跨ぐように脚立５２が設置されるようにすることにより、作業用スペース５０を前後方向に避けた位置に別途、脚立５２を設置するための専用の機構を設ける場合と比較して、装置が大型化するのを抑制できる。
【００５５】
以上、本考案の一実施形態を説明したが、上記実施形態は、本考案を実施するにあたっての具体化の一例を示したものに過ぎず、これによって本考案の技術的範囲が限定的に解釈されてはならないものである。すなわち、本考案はその要旨、またはその主要な特徴から逸脱することなく、様々な形で実施することができる。
【００５６】
例えば、上記実施形態では、被覆作業支援装置１は、２本の支持棒２７Ｒ，２７Ｌを有していたが、これを１本の支持棒を有する構成としてもよい。ただし、上述したように、２本の支持棒２７Ｒ，２７Ｌを有する構成とし、２本の支持棒２７Ｒ，２７Ｌを支持棒支持台２３の左右方向の両端部に設けることにより有利な効果を得ることができる。
【００５７】
また、作業用スペースの態様は、上記実施形態で例示した態様でなくてもよい。作業用スペースは、支持棒とハンドルとの間に形成され、直接被覆作業者が直接被覆作業を行うことが可能なスペースであればよい。図９（Ａ）、（Ｂ）、（Ｃ）は、作業用スペースの別の態様を説明するため、被覆作業支援装置の変形例の上面図を単純化して模式的に示す図である。
【００５８】
例えば、図９（Ａ）に示す被覆作業支援装置１Ａのように、支持部材２０Ａを１つの板状の部材により構成し、支持部材２０Ａにおいて、支持棒２７Ａとハンドル３Ａとの間の適切な位置を切り欠くことによって作業用スペース５０Ａを設ける構成でもよい。この構成において、支持部材２０Ａにおいて、支持棒２７Ａが設けられた部位と、前輪として機能する一対のキャスターが設けられた部位とを前後方向にずらして配置し、支持棒２７Ａの下端を一対のキャスターの上端よりも下に位置させるようにしてもよい。
【００５９】
また、図９（Ｂ）に示す被覆作業支援装置１Ｂのように、支持棒２７Ｂが設けられた前方支持部材２２Ｂと、ハンドル３Ｂが設けられた後方支持部材２１Ｂとを左右方向に離間した２本の接続部材２Ｂで接続し、２本の接続部材２Ｂで挟まれた領域に作業用スペース５０Ｂを形成する構成でもよい。この構成において、前方支持部材２２Ｂにおいて、支持棒２７Ｂが設けられた部位と、前輪として機能する一対のキャスターが設けられた部位とを前後方向にずらして配置し、支持棒２７Ｂの下端を一対のキャスターの上端よりも下に位置させるようにしてもよい。
【００６０】
また、図９（Ｃ）に示す被覆作業支援装置１Ｃのように、支持部材２０Ｃを１つの板状の部材により構成し、支持部材２０Ｃの上面であって、ハンドル３Ｃと、支持棒２７Ｃとの間に形成された領域に作業用スペース５０Ｃを設ける構成でもよい。図９（Ｃ）の例の場合、直接被覆作業者は、地面ではなく支持部材２０Ｃに立った状態で作業を行うことになる。この構成において、支持部材２０Ｃにおいて、支持棒２７Ｃが設けられた部位と、前輪として機能する一対のキャスターが設けられた部位とを前後方向にずらして配置し、支持棒２７Ｃの下端を一対のキャスターの上端よりも下に位置させるようにしてもよい。
【００６１】
また、被覆作業支援装置に脚立が設置される態様は、上記実施形態で例示した態様に限らない。例えば、上述した実施形態では、前方支持部材２２および後方支持部材２１のそれぞれに、脚立５２の足を支持する支持部が設けられた構成であった。この点について、前方支持部材２２と後方支持部材２１とのうち一方の支持部材に、脚立５２の梯子の足部の位置を位置決めし支持する支持部を設ける構成でもよい。一方の梯子の足部が位置決めされた状態で支持されると、脚立５２の構造上、脚立５２は支持部材２０に対して安定的に設置された状態となる。
【符号の説明】
【００６２】
１  被覆作業支援装置
２、２Ｂ  接続部材
３、３Ａ、３Ｂ、３Ｃ  ハンドル
１４  シート
２０、２０Ａ、２０Ｂ、２０Ｃ  支持部材
２１  後方支持部材（一方支持部材）
２２  前方支持部材（他方支持部材）
２４  前方キャスター支持部材（キャスター支持部材）
２６Ｒ、２６Ｌ  前方足部支持部材（設置部、他方足部支持部）
２７Ｒ  右側支持棒（支持棒）
２７Ｌ  左側支持棒（支持棒）
２７Ａ、２７Ｂ、２７Ｃ  支持棒
３０  左方前輪キャスター（キャスター）
４１  左方後輪キャスター（キャスター）
４６Ｒ、４６Ｌ  後方足部支持部材（設置部、一方足部支持部）
５０、５０Ａ、５０Ｂ、５０Ｃ  作業用スペース
５０Ｒ  右側作業用スペース（作業用スペース）
５０Ｌ  左側作業用スペース（作業用スペース）
５２  脚立
５３Ｘ，５３Ｙ  梯子
５４支軸部
【図１】
0003218867.tif 000003
【図２】
0003218867.tif 000004
【図３】
0003218867.tif 000005
【図４】
0003218867.tif 000006
【図５】
0003218867.tif 000007
【図６】
0003218867.tif 000008
【図７】
0003218867.tif 000009
【図８】
0003218867.tif 000010
【図９】
0003218867.tif 000011
【図１０】
0003218867.tif 000012
【手続補正書】
【提出日】平成30年9月4日(2018.9.4)
【手続補正１】
【補正対象書類名】実用新案登録請求の範囲
【補正対象項目名】全文
【補正方法】変更
【補正の内容】
【実用新案登録請求の範囲】
【請求項１】
シートを被覆対象物に被覆する作業を支援する被覆作業支援装置であって、
地面に沿って延在する支持部材と、前記支持部材に設けられたキャスターと、前記支持部材の前後方向における一方の端部に設けられ、前記支持部材を移動させる力を加えるためのハンドルと、前記ハンドルに対して前記支持部材の前後方向における他方の端部側に設けられ、ロール状に巻かれた前記シートの芯を挿入可能な支持棒とを備え、
前記ハンドルと前記支持棒とを前後方向に離間して配置し、前記ハンドルと前記支持棒との間に作業者が滞在可能な作業用スペースを形成したことを特徴とする被覆作業支援装置。
【請求項２】
前記支持部材は、前記ハンドルが設けられた一方支持部材と、前記一方支持部材から前後方向に離間した位置に配置され、棒状の接続部材によって前記一方支持部材と接続され、前記支持棒が設けられた他方支持部材とを有し、
互いに離間して配置された前記一方支持部材と前記他方支持部材との間に地面が露出した前記作業用スペースを形成したことを特徴とする請求項１に記載の被覆作業支援装置。
【請求項３】
前記一方支持部材の幅方向の中央と前記他方支持部材の幅方向の中央とを接続する前記接続部材によって前記一方支持部材と前記他方支持部材とを接続し、
前後方向のうち前記ハンドルを通常の態様で押したときに前記支持部材が進む方向を前方とした場合において、前記接続部材の前方に向かって右側であって前記一方支持部材と前記他方支持部材とで挟まれた領域、および、前記接続部材の前方に向かって左側であって前記一方支持部材と前記他方支持部材とで挟まれた領域のそれぞれに、地面が露出した前記作業用スペースを形成したことを特徴とする請求項２に記載の被覆作業支援装置。
【請求項４】
前記他方支持部材の幅方向の端部のそれぞれに一対の支持棒を立設したことを特徴とする請求項２または３に記載の被覆作業支援装置。
【請求項５】
前記支持部材は、
一対の梯子が支軸部によって回動自在に軸支された脚立を、前記支持部材の幅方向に前記支軸部が延在すると共に前記一対の梯子が前記作業用スペースを跨いだ状態で前記支持部材に設置するための設置部を有する
ことを特徴とする請求項２から４の何れか１項に記載の被覆作業支援装置。
【請求項６】
前記一方支持部材は、前記設置部として、前記脚立の一方の梯子の足部を支持するための一方足部支持部を有することを特徴とする請求項５に記載の被覆作業支援装置。
【請求項７】
前記他方支持部材は、前記設置部として、前記脚立の他方の梯子の足部を支持するための他方足部支持部を有することを特徴とする請求項５に記載の被覆作業支援装置。
【請求項８】
前記一方支持部材は、前記設置部として、前記脚立の一方の梯子の足部を支持するための一方足部支持部を有し、
前記他方支持部材は、前記設置部として、前記脚立の他方の梯子の足部を支持するための他方足部支持部を有する
ことを特徴とする請求項５に記載の被覆作業支援装置。
【請求項９】
前記他方支持部材は、前記支持棒が設けられた支持棒支持台と、一対のキャスターが設けられたキャスター支持部材とを有し、
前記支持棒支持台と前記キャスター支持部材とを前後方向にずらして配置し、前記支持棒支持台に設けられた前記支持棒の下端を前記一対のキャスターの上端よりも下に位置させた
ことを特徴とする請求項２から８の何れか１項に記載の被覆作業支援装置。
【請求項１０】
前記支持部材の幅方向の端部のそれぞれに一対の支持棒を立設したことを特徴とする請求項１に記載の被覆作業支援装置。
【請求項１１】
一対の梯子が支軸部によって回動自在に軸支された脚立を、前記支軸部が前記支持部材の幅方向に延在した状態で設置可能に構成したことを特徴とする請求項１に記載の被覆作業支援装置。
【請求項１２】
前記支持部材において、前記支持棒が設けられた部位と、一対のキャスターが設けられた部位とを前後方向にずらして配置し、前記支持棒の下端を前記一対のキャスターの上端よりも下に位置させたことを特徴とする請求項１に記載の被覆支援作業装置。